(57)【要約】【課題】ダイバシチ送信機能を有する移動通信基地局装置に関し、ダイバシチ送信を行わない場合に、ダイバシチ送信用の回路構成をできる限り変更せずに、簡単にチャネル数を増やし、チャネルの使用効率を高める。【解決手段】データ格納部１−１から出力される各送信データを、ブランチ選択部１−２により、ダイバシチ送信の実施／非実施を示すダイバシチ（Ｄｉｖ）制御信号に応じて、各拡散部１−３１０〜１−３Ｘ１に選択的に分配する。各拡散部１−３１０〜１−３Ｘ１は、入力された送信データと、拡散コード生成部１−５から出力された拡散コードとを掛け合わせ、拡散変調波として出力する。位相調整部１−４１　，１−４Ｘ　は、ダイバシチ送信の実施時に位相回転を送信ブランチ（ＢＲ１）側の信号のみ対して行う。ダイバシチ送信用の各チャネルの送信ブランチを、ダイバシチ送信非実施時に他チャネルのデータ送信に有効に利用することができる。【選択図】　　　図１
2004120272.tif 000002
【特許請求の範囲】
【請求項１】
各送信チャネルにダイバシチ送信機能を有するスペクトル拡散変調方式セルラ通信システムの移動通信基地局装置において、
複数の送信データを、ダイバシチ送信の実施時と非実施時とで切り替えて、各送信チャネルの各送信ブランチ対応の拡散変調部に分配する送信ブランチ選択手段と、
前記送信ブランチ対応の拡散変調部に対して、ダイバシチ送信の実施時と非実施時とで、送信データに対応した異なる拡散コードを出力する拡散コード生成部と、
を備えたことを特徴とする移動通信基地局装置。
【請求項２】
同期検出表示チャネルを各送信チャネルの送信ブランチ単位に拡散変調する手段と、
該同期検出表示チャネル変調波を、非使用中の送信チャネルを選択して該送信チャネルに割り当てるチャネル選択手段と、
を備えたことを特徴とする請求項１に記載の移動通信基地局装置。
【請求項３】
同期チャネル変調波を生成する構成において、送信する同期チャネルデータの後の空き領域に、送信電力ゼロのデータを送出する手段と、
該同期チャネルデータ及びそれに続く送信電力ゼロのデータに対して拡散コードにより拡散変調を行う手段と、
該送信電力ゼロのデータの送出期間でも該拡散コードの送出を停止することなく連続的に送出する拡散コード生成手段と、
を備えたことを特徴とする請求項１に記載の移動通信基地局装置。
【請求項４】
スロット毎に交互に異なる送信ブランチから同期チャネルデータを送信する時間切り換え送信ダイバシチによる同期チャネルデータの送信部の構成において、
同期チャネルデータを送信するスロットの次のスロットに、送信電力ゼロのデータを送出する手段と、
該同期チャネルデータを送信するスロット及びそれに続く送信電力ゼロのデータのスロットに対して拡散コードにより拡散変調を行う手段と、
該送信電力ゼロのデータの送出期間でも該拡散コードの送出を停止することなく連続的に送出する拡散コード生成手段と、
を備えたことを特徴とする請求項３に記載の移動通信基地局装置。
【請求項５】
同期チャネルデータの後の空き領域に、複数のパケットデータ及びその後の空き領域に送信電力ゼロのデータを送出する手段と、
時間切り換え送信ダイバシチによる同期チャネルデータの送信時に、同期チャネルデータを送信しないスロットに、複数のパケットデータ及びその後の空き領域に送信電力ゼロのデータを送出する手段と、
該パケットデータ及びそれに続く送信電力ゼロのデータに対して、拡散コードにより拡散変調を行う手段と、
該送信電力ゼロのデータの送出期間でも該拡散コードの送出を停止することなく連続的に拡散コードを送出する拡散コード生成手段と、
を備えたことを特徴とする請求項３又は４に記載の移動通信基地局装置。
【発明の詳細な説明】
【０００１】
【発明の属する技術分野】
本発明は移動通信基地局装置に関し、特に、送信チャネルにダイバシチ送信機能を有し、ＱＰＳＫによる拡散変調を用いるＣＤＭＡ（Ｃｏｄｅ　Ｄｉｖｉｓｉｏｎ　ＭｕｌｔｉｐｌｅＡｃｃｅｓｓ　）セルラシステムの移動通信基地局装置におけるチャネルの効率化に関する。ＩＭＴ−２０００に代表される次世代携帯電話システムでは、システムを普及させるために１装置当たりのチャネル数の増大化と装置の小型化とが要求されている。
【０００２】
【従来の技術】
従来のＩＭＴ−２０００の移動通信基地局装置は、ダイバシチ送信を行うときは、２つの送信ブランチを使用してスペースダイバシチやその他の各種のダイバシチを実現し、ダイバシチ送信を行わないときは、その一方の送信ブランチを送信停止して未使用状態としている。
【０００３】
また、同期チャネル（ＳＣＨ：Ｓｙｎｃｈｒｏｎｉｚａｔｉｏｎ　Ｃｈａｎｎｅｌ　）や同期検出表示チャネル（ＡＩＣＨ：Ａｃｑｕｉｓｉｔｉｏｎ　Ｉｎｄｉｃａｔｏｒ　Ｃｈａｎｎｅｌ　）は、常時、送信チャネルをユーザからの発呼に対して割り当てることができるように設けられているが、送信チャネルの割り当てが実行されない時間帯は送信を停止し、未使用状態としている。
【０００４】
先行技術文献として、送信ダイバシチについては下記の特許文献１に、ダイバシチ受信の切り換えについては下記の特許文献２に、受信機性能を示すメッセージとしてダイバシチ有無等の受信機種別を通知して送信電力制御を行う手段について下記の特許文献３に記載されている。
【０００５】
【特許文献１】
特開２００２−８４２５８号公報　（段落０００６、００２４）
【特許文献２】
特開平６−２８４０６２号公報　（請求項１等）
【特許文献３】
特開平９−３２６７５３号公報　（段落００２３、００２４）
【０００６】
【発明が解決しようとする課題】
上述のように、ＩＭＴ−２０００システム等の移動通信基地局装置では、ダイバシチ送信を行わないとき、その一方の送信ブランチを未使用状態とし、また、送信チャネルの割り当て等のために使用されるチャネルは、送信チャネルの割り当て処理実行時以外は送信を停止して未使用状態としているため、チャネルが有効に利用されず、チャネルの利用効率が低いものであった。
【０００７】
本発明は、各移動通信基地局装置で使用可能な固有チャネルを最大限に利用可能にし、チャネルの使用率を高めることにより、装置のコストダウント及び一装置当たりのチャネル数の増大を図ることを目的とする。また、移動通信基地局装置の設置場所等の制約により、ダイバシチ送信を行うことができない場合に、ダイバシチ送信用の回路構成をできる限り変更せずに、簡単にチャネル数を増やすことを可能にすることを目的とする。
【０００８】
また、同期検出表示チャネル（ＡＩＣＨ）を常時送信状態として１６個のチャネルを使用している従来の構成を見直し、送信チャネルの割り当て処理実行時のみ使用されるチャネルの有効利用を図ることを目的とする。また、同期チャネル（ＳＣＨ）の送信空き時間の有効利用を図ることを目的とする。
【０００９】
【課題を解決するための手段】
本発明の移動通信基地局装置は、（１）各送信チャネルにダイバシチ送信機能を有するスペクトル拡散変調方式セルラ通信システムの移動通信基地局装置において、複数の送信データを、ダイバシチ送信の実施時と非実施時とで切り替えて、各送信チャネルの各送信ブランチ対応の拡散変調部に分配する送信ブランチ選択手段と、前記送信ブランチ対応の拡散変調部に対して、ダイバシチ送信の実施時と非実施時とで、送信データに対応した異なる拡散コードを出力する拡散コード生成部と、を備えたものである。
【００１０】
また、（２）同期検出表示チャネルを各送信チャネルの送信ブランチ単位に拡散変調する手段と、該同期検出表示チャネル変調波を、非使用中の送信チャネルを選択して該送信チャネルに割り当てるチャネル選択手段と、を備えたものである。
【００１１】
また、（３）同期チャネル変調波を生成する構成において、送信する同期チャネルデータの後の空き領域に、送信電力ゼロのデータを送出する手段と、該同期チャネルデータ及びそれに続く送信電力ゼロのデータに対して拡散コードにより拡散変調を行う手段と、該送信電力ゼロのデータの送出期間でも該拡散コードの送出を停止することなく連続的に送出する拡散コード生成手段と、を備えたものである。
【００１２】
また、（４）スロット毎に交互に異なる送信ブランチから同期チャネルデータを送信する時間切り換え送信ダイバシチによる同期チャネルデータの送信部の構成において、同期チャネルデータを送信するスロットの次のスロットに、送信電力ゼロのデータを送出する手段と、該同期チャネルデータを送信するスロット及びそれに続く送信電力ゼロのデータのスロットに対して拡散コードにより拡散変調を行う手段と、該送信電力ゼロのデータの送出期間でも該拡散コードの送出を停止することなく連続的に送出する拡散コード生成手段と、を備えたものである。
【００１３】
また、（５）同期チャネルデータの後の空き領域に、複数のパケットデータ及びその後の空き領域に送信電力ゼロのデータを送出する手段と、時間切り換え送信ダイバシチによる同期チャネルデータの送信時に、同期チャネルデータを送信しないスロットに、複数のパケットデータ及びその後の空き領域に送信電力ゼロのデータを送出する手段と、該パケットデータ及びそれに続く送信電力ゼロのデータに対して、拡散コードにより拡散変調を行う手段と、該送信電力ゼロのデータの送出期間でも該拡散コードの送出を停止することなく連続的に拡散コードを送出する拡散コード生成手段と、を備えたものである。
【００１４】
【発明の実施の形態】
図１にダイバシチ送信部を有効利用する本発明の実施形態を示す。この実施形態の移動通信基地局装置は、第１チャネル（Ｃｈ１）から第Ｘチャネル（ＣｈＸ）の合計Ｘ個のチャネルに、それぞれダイバーシチ送信用の２つの送信ブランチ（ＢＲ０，ＢＲ１）を備え、各チャネル各ブランチ（Ｃｈ１＿ＢＲ０，Ｃｈ１＿ＢＲ１，〜ＣｈＸ＿ＢＲ０，ＣｈＸ＿ＢＲ１）毎の拡散部１−３１０〜１−３Ｘ１を備える。
【００１５】
データ格納部１−１から出力される各送信データは、拡散部１−３１０〜１−３Ｘ１をへ固定的に分配するのではなく、ダイバシチ送信の実施／非実施を示すダイバシチ（Ｄｉｖ）制御信号に応じて、各拡散部１−３１０〜１−３Ｘ１に選択的に分配されるようにブランチ選択部１−２を備える。
【００１６】
各拡散部１−３１０〜１−３Ｘ１は、ブランチ選択部１−２から出力された送信データと、拡散コード生成部１−６から出力されたチャネライゼーション拡散コードとを掛け合わせて拡散した後、送信電力制御部１−４１０〜１−４Ｘ１に出力し、送信電力制御部１−４１０〜１−４Ｘ１は指示された送信電力により拡散変調波を出力する。
【００１７】
位相調整部１−５１　，１−５Ｘ　は、各チャネル（Ｃｈ１〜ＣｈＸ）の送信ブランチ（ＢＲ１）に設けられ、ダイバシチ（Ｄｉｖ）制御信号に応じて、ダイバシチ送信の実施時には３ＧＰＰ規格に従う位相回転を送信ブランチ（ＢＲ１）側の信号のみ対して行う。ダイバシチ送信の非実施時には位相固定とし、回転を行わずに入力信号を出力する。
【００１８】
拡散コード生成部１−６は、ダイバシチ（Ｄｉｖ）制御信号に応じて各拡散部１−３１０〜１−３Ｘ１に拡散コードを送出する。ダイバシチ送信の実施時には、各チャネル（Ｃｈ１〜ＣｈＸ）に固有の拡散コードをその送信ブランチ（ＢＲ０，ＢＲ１）に共通に送出する。一方、ダイバシチ送信の非実施時には、各チャネル（Ｃｈ１〜ＣｈＸ）毎にまた各送信ブランチ（ＢＲ０，ＢＲ１）毎に異なる拡散コードを送出する。
【００１９】
図２に本発明のブランチ選択部１−２の構成を示す。今、チャネル数が４であるとする。各チャネル（Ｃｈ１〜Ｃｈ４）の各送信ブランチ（ＢＲ０，ＢＲ１）から出力する送信データを、選択部ＳＥＬ１〜ＳＥＬ７によりダイバシチ（Ｄｉｖ）制御信号に応じて選択する。
【００２０】
選択部ＳＥＬ１〜ＳＥＬ７は、ダイバシチ送信の実施時には、各チャネル（Ｃｈ１〜Ｃｈ４）の送信データを選択し、各チャネル（Ｃｈ１〜Ｃｈ４）の各送信ブランチ（ＢＲ０，ＢＲ１）から出力する。一方、ダイバシチ送信の非実施時には、チャネル（Ｃｈ１〜Ｃｈ４）及び別チャネル（Ｃｈ（Ｘ−３）〜ＣｈＸ）の送信データを選択して、各チャネル（Ｃｈ１〜Ｃｈ４）の各送信ブランチ（ＢＲ０，ＢＲ１）から出力する。
【００２１】
例えば、チャネルＣｈ２の送信データについて説明すると、ダイバシチ送信の実施時には、チャネルＣｈ２の送信データは、選択部ＳＥＬ２及びＳＥＬ３により選択されて、チャネルＣＨ２の各送信ブランチＢＲ０及びＢＲ１の拡散向けデータとして送出される。一方、ダイバシチ送信の非実施時には、チャネルＣｈ２の送信データは、選択部ＳＥＬ１により選択されて、チャネルＣＨ１の送信ブランチＢＲ１の拡散向けデータとして送出される。
【００２２】
図３に拡散コード生成部１−６の構成を示す。拡散コード生成部１−６は、送信ブランチ単位にチャネライゼーションコードの生成が可能なように２つのチャネライゼーションコード格納部３−１，３−２を備える。そして、ダイバシチ（Ｄｉｖ）制御信号に応じて、ダイバシチ送信実施時には選択部ＳＥＬ１により送信ブランチＢＲ０のチャネライゼーション拡散コードを選択して送信ブランチＢＲ１から出力し、送信ブランチＢＲ０及びＢＲ１から同一のチャネライゼーション拡散コードデータを送出する。
【００２３】
一方、ダイバシチ送信非実施時には、選択部ＳＥＬ１により送信ブランチＢＲ１のチャネライゼーション拡散コードを選択して送信ブランチＢＲ１から出力し、送信ブランチＢＲ０及びＢＲ１からそれぞれ異なるチャネライゼーション拡散コードデータを送出する。
【００２４】
次に図４に同期検出表示チャネル（ＡＩＣＨ）を有効利用する本発明の実施形態を示す。この実施形態は、図１の実施形態における拡散部拡散部１−３１０〜１−３Ｘ１から出力される送信データ（拡散変調波）と、ＡＩＣＨ処理部４−１から出力される同期検出表示チャネル（ＡＩＣＨ）の信号を選択する選択部ＳＥＬ１０　，ＳＥＬ１１　，〜ＳＥＬＸ０　，ＳＥＬＸ１　を、図１の実施形態に追加したものである。
【００２５】
同期検出表示チャネル（ＡＩＣＨ）は、３ＧＰＰという標準化団体によって規格化され、無線リンク接続時において、移動端末から送信されるＲＡＣＨ（Ｒａｎｄｏｍ　Ａｃｃｅｓｓ　Ｃｈａｎｎｅｌ　）のプリアンブル信号に対する応答として、移動無線基地局装置から同期検出表示の信号を送信するチャネルとして使用され、１６通りのシグネチャパターンを有する。
【００２６】
図５にＡＩＣＨ処理部４−１の構成を示す。シグネチャ選択部５−１では上りリンクから受信されるＡｃｋ信号に対する応答パターンを選択し、ＡＩＣＨ拡散部５−２１　〜５−２１５に送出する。ＡＩＣＨ拡散部５−２１　〜５−２１５で各送信ブランチ毎に拡散変調されたＡｃｋ信号は、チャネル選択部５−３により、何れの送信チャネルで送信するかが選択される。
【００２７】
チャネル選択部５−３の詳細な構成図を図６に示す。同図に示すようにチャネル選択部は、送信ブランチＢＲ０のＡＣＫ１〜ＡＣＫ１５の送信データを入力し、その１つを選択して出力する選択部（ＢＲ０＿Ｃｈ１＿ＳＥＬ〜ＢＲ０＿ＣｈＸ＿ＳＥＬ）と、送信ブランチＢＲ１のＡＣＫ１〜ＡＣＫ１５の送信データを入力し、その１つを選択して出力する選択部（ＢＲ１＿Ｃｈ１＿ＳＥＬ〜ＢＲ１＿ＣｈＸ＿ＳＥＬ）と、該選択部に選択すべき送信データの指定情報を通知する方路選択部６−１とを備える。
【００２８】
該方路選択部６−１は、各ＡＣＫ１〜ＡＣＫ１５の送信データのイネーブル信号（ＡＣＫ１＿ＥＮ〜ＡＣＫ１５＿ＥＮ）と、各送信チャネル（Ｃｈ１〜ＣｈＸ）の使用中（ＯＮ）を示す指示情報とを入力し、それらの入力情報を基に、各選択部（ＢＲ０＿Ｃｈ１＿ＳＥＬ〜ＢＲ０＿ＣｈＸ＿ＳＥＬ，ＢＲ１＿Ｃｈ１＿ＳＥＬ〜ＢＲ１＿ＣｈＸ＿ＳＥＬ）に、選択すべき送信データの指定情報を通知する。
【００２９】
該方路選択部６−１＿における選択手段として、図７に示す方路選択真理値表（その１）及び図８に示す方路選択真理値表（その２）を用意しておき、該方路選択真理値表から各入力情報に対応した出力情報を読み出して、各選択部へ出力する。
【００３０】
図７及び図８に示す方路選択真理値表は、各送信チャネル（Ｃｈ１〜ＣｈＸ）の使用中（ＯＮ）を示す指示情報を基に、空き状態の送信チャネル（Ｃｈ１〜ＣｈＸ）を選択して、該選択した空き状態の送信チャネル（Ｃｈ１〜ＣｈＸ）の各選択部（ＢＲ０＿Ｃｈ１＿ＳＥＬ〜ＢＲ０＿ＣｈＸ＿ＳＥＬ，ＢＲ１＿Ｃｈ１＿ＳＥＬ〜ＢＲ１＿ＣｈＸ＿ＳＥＬ）に、選択すべきイネーブル状態のＡＣＫ１〜ＡＣＫ１５の送信データを示す情報を、例えば、若番号順に順番に指定する情報を出力する。
【００３１】
該方路選択真理値表に則って選択され出力された同期検出表示チャネル（ＡＩＣＨ）の信号は、図４の選択部ＳＥＬ１０　，ＳＥＬ１１　，〜ＳＥＬＸ０　，ＳＥＬＸ１　に入力され、該選択部により選択され、移動通信基地局装置から送信される。
【００３２】
次に同期チャネル（ＳＣＨ）の送信空き時間を有効利用する実施形態について説明する。図９に同期チャネル（ＳＣＨ）変調波の送信部の構成を示す。同図において、データ格納部９−１は、同期チャネル（ＳＣＨ）のデータと、送信電力ゼロのＤＴＸデータとを格納し、アドレスカウンタ９−２のカウント値に従って、同期チャネル（ＳＣＨ）データ送信タイミング時に同期チャネル（ＳＣＨ）データを、同期チャネル（ＳＣＨ）データ送信タイミング時以外にＤＴＸデータを、プライマリ同期チャネル（ＰＳＣＨ）拡散部９−４及びセカンダリ同期チャネル（ＳＳＣＨ）拡散部９−５に出力する。
【００３３】
コード生成部９−３は、プライマリ同期チャネル（ＰＳＣＨ）拡散部９−４及びセカンダリ同期チャネル（ＳＳＣＨ）拡散部９−５に、それぞれ対応した拡散コードを、同期チャネル（ＳＣＨ）データ送信タイミング時以外でも、送出を停止することなく継続して送出し続ける。
【００３４】
送信電力制御部９−６，９−７は、図示省略の上位装置からの送信電力指示に従って、それぞれ、プライマリ同期チャネル（ＰＳＣＨ）及びセカンダリ同期チャネル（ＳＳＣＨ）の送信電力を制御する。このとき、送信電力ゼロのＤＴＸデータが出力されるタイミングで、送信電力をゼロとする指示が与えられ、該指示に従って送信電力をゼロとする。
【００３５】
図１０に同期チャネル（ＳＣＨ）変調波の送信のタイムチャートを示す。同図の（ａ）は、データ格納部９−１から出力されるデータのタイムチャートを示し、同図の（ｂ）は、コード生成部９−３から出力されるプライマリ又はセカンダリの同期チャネル（ＳＳＣＨ）拡散コードを示す。同図の（ｃ）は、プライマリ同期チャネル（ＰＳＣＨ）拡散部９−４又はセカンダリ同期チャネル（ＳＳＣＨ）拡散部９−５から出力される同期チャネル（ＳＣＨ）変調波を示す。
【００３６】
図１０に示すとおり、データ格納部９−１から出力される同期チャネル（ＳＣＨ）データは、２５６ｃｈｉｐ（１シンボル）のデータとして、各スロット毎に１シンボルのみ同じデータが送出され、該同期チャネル（ＳＣＨ）データに送信電力ゼロのＤＴＸデータを繋ぎ、１つのデータとして拡散部９−４又は９−５に入力する。ＤＴＸデータについては送信電力ゼロのため拡散信号が出力されず、図１０に示すとおりＳＣＨ変調波が移動通信基地局装置から送信される。
【００３７】
図１１に同期チャネル（ＳＣＨ）変調波のダイバシチ送信部の構成を示す。同図において、基本的な構成は図９に示した構成と同様であるが、プライマリ同期チャネル（ＰＳＣＨ）拡散部９−４として、ダイバシチ送信用に２つの拡散部９−４０　，９−４１　を備え、また、セカンダリ同期チャネル（ＳＳＣＨ）拡散部９−５として、ダイバシチ送信用に２つの拡散部９−５０　，９−５１　を備える。そして、拡散部９−４１　及び拡散部９−５１　に、それぞれ位相調整部１１−１，１１−２を接続し、位相調整部１１−１，１１−２は３ＧＰＰ規格に従う位相回転を行う。
【００３８】
図１２に同期チャネル（ＳＣＨ）変調波のダイバシチ送信のタイムチャートを示す。同期チャネル（ＳＣＨ）変調波のダイバシチ送信については、３ＧＰＰ規格により定められており、図１２の（ｄ），（ｅ）に示すように、各スロット毎に送信ブランチ間で交互に同期チャネル（ＳＣＨ）変調波を送信する「時間切換送信ダイバシチ（ＴＳＴＤ：Ｔｉｍｅ　Ｓｗｉｔｃｈｅｄ　Ｔｒａｎｓｍｉｔ　Ｄｉｖｅｒｓｉｔｙ）」により送信する必要がある。
【００３９】
そのため、図１２（ａ）に示すように、送信ブランチＢＲ０は、例えば、第１のスロットＳｌｏｔ１では、同期チャネル（ＳＣＨ）データにＤＴＸデータを繋いだデータを送出し、次の第２のスロットＳｌｏｔ２ではＤＴＸデータのみを送出し、以降、この動作を繰り返す。
【００４０】
一方、送信ブランチＢＲ１では、図１２（ｂ）に示すように、送信ブランチＢＲ０とは逆に、第１のスロットＳｌｏｔ１ではＤＴＸデータのみを送出し、次の第２のスロットＳｌｏｔ２では同期チャネル（ＳＣＨ）データにＤＴＸデータを繋いだデータを送出し、以降、この動作を繰り返す。
【００４１】
このようにして、送信ブランチＢＲ０とＢＲ１とでは、スロット毎に交互に、同期チャネル（ＳＣＨ）データにＤＴＸデータを繋いだデータと、ＤＴＸデータのみのデータとを送出し、時間切換送信ダイバシチ（ＴＳＴＤ）を行う。その間、図１２（ｃ）に示すように拡散コードは連続して送信する構成とすることができる。
【００４２】
図１３に同期チャネル（ＳＣＨ）データ及びパケットデータを送信する送信部の構成を示す。この構成の基本原理は図９に示した構成の同様であり、データ格納部１３−１は、同期チャネル（ＳＣＨ）のデータと、送信電力ゼロのＤＴＸデータと、パケットデータとを格納し、アドレスカウンタ１３−２のカウント値に従って、同期チャネル（ＳＣＨ）データ送信タイミング時に同期チャネル（ＳＣＨ）データを、同期チャネル（ＳＣＨ）データ送信タイミング時以外にＤＴＸデータを、同期チャネル（ＳＣＨ）拡散部１３−４に出力し、またパケットデータが発生するたびに該パケットデータをパケット（ＰＫＴ）拡散部１３−５に出力する。
【００４３】
コード生成部１３−３は、同期チャネル（ＳＣＨ）拡散部１３−４及びパケット（ＰＫＴ）拡散部１３−５に、それぞれ対応した拡散コードを、同期チャネル（ＳＣＨ）データ送信タイミング及びパケットデータ送信タイミング以外でも、停止することなく継続して送出し続ける。
【００４４】
同期チャネル（ＳＣＨ）拡散部１３−４から出力される同期チャネル（ＳＣＨ）データの拡散変調波と、パケット（ＰＫＴ）拡散部１３−５から出力されるパケットデータと拡散変調波は、多重部１３−６により多重され送信された後、送信電力制御部１３−７により、図示省略の上位装置から指示された送信電力で拡散変調波を送信する。このとき、ＤＴＸデータの送信タイミングでは送信電力をゼロとする指示を与え、送信電力制御部１３−７はＤＴＸデータの送信タイミングで送信電力をゼロとする。
【００４５】
図１４に同期チャネル（ＳＣＨ）データ及びパケットデータの送信のタイムチャートを示す。同図の（ａ）は、データ格納部１３−１から出力され、同期チャネル（ＳＣＨ）拡散部１３−４に入力されるデータのタイムチャートを示し、同図の（ｂ）は、コード生成部１３−３から出力される同期チャネル（ＳＣＨ）拡散コードを示す。
【００４６】
同図の（ｃ）は、データ格納部１３−１から出力され、パケットデータ（ＰＫＴ）拡散部１３−５に入力されるデータのタイムチャートを示し、同図の（ｄ）は、コード生成部１３−３から出力されるパケットデータ（ＰＫＴ）拡散コードを示す。同図の（ｅ）は、多重部１３−６から出力される変調波を示す。
【００４７】
図１４に示すとおり、データ格納部１３−１から出力される同期チャネル（ＳＣＨ）データは、１シンボルのデータとして、各スロット毎に１シンボルのみ同じデータが送出され、該同期チャネル（ＳＣＨ）データに送信電力ゼロのＤＴＸデータを繋ぎ、１つのデータとして同期チャネル（ＳＣＨ）拡散部１３−４に入力される。
【００４８】
同期チャネル（ＳＣＨ）拡散部１３−４では、ＤＴＸデータについては送信電力ゼロのため拡散信号が出力されない。同期チャネル（ＳＣＨ）変調波の送信の合間にパケットデータを送信する。なお、各スロットにおけるパケットデータ非送信のタイミングには送信電力ゼロのＤＴＸデータを繋ぎ合わせることにより、パケットデータ拡散コードは同図（ｄ）に示すように、常時継続的に送出し続ける構成とすることができる。多重部１３−６からは、図１４（ｅ）に示すとおり、同期チャネル（ＳＣＨ）変調波と共に、その合間にパケットデータが送信され、同期チャネル（ＳＣＨ）を有効利用することができる。
【００４９】
図１５にプライマリ及びセカンダリ同期チャネルのダイバシチ送信部の構成を示す。この構成の基本原理は図１に示した構成と同様である。同期チャネル（ＳＣＨ）のダイバシチ送信時では、データ格納部１５−１から読み出したプライマリ同期チャネル（ＰＳＣＨ）データを、第１チャネル（Ｃｈ１）のブランチＢＲ０及びブランチＢＲ１の拡散部１５−３，１５−４に送出し、また、データ格納部１５−１から読み出したセカンダリ同期チャネル（ＳＳＣＨ）データを、第２チャネル（Ｃｈ２）のブランチＢＲ０及びブランチＢＲ１の拡散部１５−５，１５−６に送出する。
【００５０】
ダイバシチ送信時、第１チャネル（Ｃｈ１）のブランチＢＲ０及びブランチＢＲ１の拡散部１５−３，１５−４には、コード生成部１５−７から出力されるプライマリ同期チャネル（ＰＳＣＨ）拡散コードを、選択部１５−８により選択して加え、また、第２チャネル（Ｃｈ２）のブランチＢＲ０及びブランチＢＲ１の拡散部１５−５，１５−６には、コード生成部１５−７から出力されるセカンダリ同期チャネル（ＳＳＣＨ）拡散コードを加える。
【００５１】
従って、第１チャネル（Ｃｈ１）のブランチＢＲ０及びブランチＢＲ１からプライマリ同期チャネル（ＰＳＣＨ）の拡散変調波が出力され、第２チャネル（Ｃｈ２）のブランチＢＲ０及びブランチＢＲ１からセカンダリ同期チャネル（ＳＳＣＨ）の拡散変調波が出力され、送信電力制御部１５−７〜１５−１０において指示された送信電力の拡散変調波を送信する。
【００５２】
位相調整部１５−１１，１５−１２は、ダイバシチ（Ｄｉｖ）制御信号に従い、ダイバシチ送信を行わないときは、位相回転を行うことなく、固定の位相で入力信号を送信し、ダイバシチ送信を行うときは、３ＧＰＰ規格に従う位相回転を送信ブランチ（ＢＲ１）側の信号のみ対して行う。
【００５３】
ダイバシチ非送信時には、データ格納部１５−１から読み出したプライマリ同期チャネル（ＰＳＣＨ）データを、第１チャネル（Ｃｈ１）のブランチＢＲ０の拡散部１５−３に送出し、また、データ格納部１５−１から読み出したセカンダリ同期チャネル（ＳＳＣＨ）データを、第１チャネル（Ｃｈ１）のブランチＢＲ１の拡散部１５−４に送出する。
【００５４】
そして、ダイバシチ非送信時、第１チャネル（Ｃｈ１）のブランチＢＲ０の拡散部１５−３には、コード生成部１５−７から出力されるプライマリ同期チャネル（ＰＳＣＨ）拡散コードを加え、また、第１チャネル（Ｃｈ１）のブランチＢＲ１の拡散部１５−４に、コード生成部１５−７から出力されるセカンダリ同期チャネル（ＳＳＣＨ）拡散コードを、選択部１５−８により選択して加える。
【００５５】
このように、ダイバシチ送信機能を有する移動通信基地局装置において、ダイバシチ送信を行わないときに、プライマリ同期チャネル（ＰＳＣＨ）及びセカンダリ同期チャネル（ＳＳＣＨ）変調波を、１チャネル分のダイバシチ送信部を用いて送信することができ、もう１チャネル分のダイバシチ送信部を他の２つのデータ送信用に使用することができ、チャネルを有効利用することができる。
【００５６】
【発明の効果】
以上説明したように、本発明によれば、ダイバシチ送信機能を備えた移動通信基地局装置において、ダイバシチ送信を行わないときに、該ダイバシチ送信部を他チャネルのデータ送信に使用する手段を備えることにより、１装置当たりのチャネル数を増大させることができ、移動通信基地局装置の設置台数を削減することができる。また、収容すべきチャネル数が少なくて済むので、移動通信基地局装置内の変調部の数を減らすことができ、コストダウンを図ることができる。
【００５７】
また、同期検出表示情報を、非使用中の送信チャネルを選択して該送信チャネルにより送信することにより、常時、同期検出表示チャネル（ＡＩＣＨ）を１６チャネル分割り当てておく必要がなくなり、移動通信基地局装置内のチャネルリソースに余裕を持たせることができる。
【００５８】
また、拡散変調波の非送出時に、拡散コードの出力を停止する代わりに、送信データを送信電力ゼロのデータに繋ぎ、拡散コードに送信電力ゼロのデータを掛け合わせて拡散変調波の送信を停止することにより、チャネル制御の容易化を図ることができる。
【００５９】
また、同期チャネル（ＳＣＨ）データの後の空き領域、又は時間切換送信ダイバシチ（ＴＳＴＤ）による同期チャネルデータの送信時における同期チャネルデータを送信しないスロットに、複数のパケットデータを送出することにより、何もデータを送信しない不使用のチャネル数を減少することができ、チャネルの効率向上を図ることができる。
【図面の簡単な説明】
【図１】ダイバシチ送信部を有効利用する本発明の実施形態を示す図である。
【図２】本発明のブランチ選択部の構成を示す図である。
【図３】本発明の拡散コード生成部の構成を示す図である。
【図４】同期検出表示チャネル（ＡＩＣＨ）を有効利用する本発明の実施形態を示す図である。
【図５】本発明のＡＩＣＨ処理部の構成を示す図である。
【図６】本発明のチャネル選択部の構成を示す図である。
【図７】本発明の方路選択真理値表（その１）を示す図である。
【図８】本発明の方路選択真理値表（その２）を示す図である。
【図９】本発明の同期チャネル（ＳＣＨ）変調波の送信部を示す図である。
【図１０】本発明の同期チャネル（ＳＣＨ）変調波の送信タイムチャートを示す図である。
【図１１】本発明の同期チャネル（ＳＣＨ）変調波のダイバシチ送信部を示す図である。
【図１２】本発明の同期チャネル（ＳＣＨ）変調波のダイバシチ送信タイムチャートを示す図である。
【図１３】本発明の同期チャネル（ＳＣＨ）データ及びパケットデータを送信する送信部を示す図である。
【図１４】本発明の同期チャネル（ＳＣＨ）データ及びパケットデータの送信タイムチャートを示す図である。
【図１５】プライマリ及びセカンダリ同期チャネルのダイバシチ送信部を示す図である。
【符号の説明】
１−１　データ格納部
１−２　ブランチ選択部
１−３１０〜１−３Ｘ１　拡散部
１−５１　，１−５Ｘ　　位相調整部
１−６　拡散コード生成部
【図１】
2004120272.tif 000003
【図２】
2004120272.tif 000004
【図３】
2004120272.tif 000005
【図４】
2004120272.tif 000006
【図５】
2004120272.tif 000007
【図６】
2004120272.tif 000008
【図７】
2004120272.tif 000009
【図８】
2004120272.tif 000010
【図９】
2004120272.tif 000011
【図１０】
2004120272.tif 000012
【図１１】
2004120272.tif 000013
【図１２】
2004120272.tif 000014
【図１３】
2004120272.tif 000015
【図１４】
2004120272.tif 000016
【図１５】
2004120272.tif 000017